(57)【要約】【課題】高電圧が印加されたときに破壊されることを防止しつつ、起動時に電源電圧を安定的に印加可能な電源装置を提供する。【解決手段】電源装置１は、リレー１０と、コンデンサ１３と、スイッチ１４と、過電圧検出回路１６と、スイッチ制御回路１７とを有する。リレー１０は、オフしたときに電源端子１８と負荷端子１９との間を開放する接点２０ａ、２０ｂと、励磁電流が供給されないときに接点２０ａ、２０ｂをオフし、励磁電流が供給されたときに接点２０ａ、２０ｂをオンするコイル２１ａ、２１ｂとを有する。コンデンサ１３は、電源端子１８に一端が接続され且つコイル２１ａ、２１ｂに並列接続され、スイッチ１４は、コンデンサ１３に直列接続される。スイッチ制御回路１７は、電源電圧がしきい値電圧よりも高いことが検出されたときにオフして、コイル２１ａ、２１ｂへの励磁電流の供給を停止して接点をオフする。【選択図】図１
2018133923.tif 000002
【特許請求の範囲】
【請求項１】
電源に接続される電源端子と負荷に接続される負荷端子との間に配置され、オフしたときに前記電源端子と前記負荷端子との間を開放し、オンしたときに前記電源端子と前記負荷端子との間を接続する接点と、励磁電流が供給されないときに前記接点をオフし、励磁電流が供給されたときに前記接点をオンするコイルとを有するリレーと、
前記電源端子に一端が接続され且つ前記コイルに並列接続されたコンデンサと、
前記コンデンサに直列接続されたスイッチと、
前記電源端子に印加される電源電圧が所定のしきい値電圧よりも高いことを検出する過電圧検出回路と、
前記過電圧検出回路によって電源電圧が前記しきい値電圧よりも高いことが検出されないときに前記スイッチをオンして、前記コンデンサに前記電源電圧を印加して前記リレーの前記コイルに励磁電流を供給して前記接点をオンし、前記過電圧検出回路によって前記電源電圧が前記しきい値電圧よりも高いことが検出されたときにオフして、前記コンデンサへの電源電圧の印加を停止して前記リレーの前記コイルへの励磁電流の供給を停止して前記接点をオフするスイッチ制御回路と、
を有する、ことを特徴とする電源装置。
【請求項２】
前記スイッチは、前記コンデンサと共に前記コイルに直列接続され、
前記リレーの前記コイルは、前記スイッチがオンするときに前記コンデンサと共に電源電圧が印加され、前記スイッチがオフするときに前記コンデンサと共に電源電圧の印加が停止される、請求項１に記載の電源装置。
【請求項３】
負荷回路と、
前記負荷回路に電力を供給する電源装置であって、
電源に接続される電源端子と負荷に接続される負荷端子との間に配置され、オフしたときに、前記電源端子と前記負荷端子との間を開放し、オンしたときに、前記電源端子と前記負荷端子との間を接続する接点と、励磁電流が供給されないときに前記接点をオフし、励磁電流が供給されたときに前記接点をオンするコイルとを有するリレーと、
前記電源端子に一端が接続され且つ前記コイルに並列接続されたコンデンサと、
前記コンデンサに直列接続されたスイッチと、
前記電源端子に印加される電源電圧が所定のしきい値電圧よりも高いことを検出する過電圧検出回路と、
前記過電圧検出回路によって電源電圧が前記しきい値電圧よりも高いことが検出されないときに前記スイッチをオンして、前記コンデンサに前記電源電圧を印加して前記リレーの前記コイルに励磁電流を供給して前記接点をオンし、前記過電圧検出回路によって前記電源電圧が前記しきい値電圧よりも高いことが検出されたときにオフして、前記コンデンサへの電源電圧の印加を停止して前記リレーの前記コイルの励磁電流への供給を停止して前記接点をオフするスイッチ制御回路と、を有する電源装置と、
を有する、ことを特徴とする遊技機。
【発明の詳細な説明】
【技術分野】
【０００１】
本発明は、電源装置及びそのような電源装置を有する遊技機に関する。
【背景技術】
【０００２】
動作電圧が異なる種々の基板を搭載する遊技機において、変圧回路の搭載を省略して基板の小型化を図るために、単一の電源基板で各基板に所望の電圧を生成して、生成された電圧を電源基板から各基板に印加することが知られている。例えば、特許文献１に記載される遊技機では、単一の電源基板は、印加される２４Ｖの交流電源電圧を所望の電圧に変圧し、変圧した電圧を電源基板から各基板に印加する。
【０００３】
また、遊技機が設置される遊技施設では、遊技機に印加される２４Ｖ交流電源の他に、空調設備及び清掃設備等に印加される１００Ｖ交流電源が並存している。特許文献２には、電源プラグの誤接続等に起因して１００Ｖ交流電源から１００Ｖ交流電圧が遊技機に印加されたときに破壊されることを防止するために、過電圧保護用のリレーを備えた電源装置が記載されている。特許文献２に記載される電源装置は、電源入力端子とダイオードブリッジとの間にリレーを配置し、１００Ｖ交流電圧が遊技機に印加されたときにリレーのコイルへの励磁電流の供給を停止してリレーをオフすることで、電源装置が破壊されることを防止する。
【０００４】
さらに、特許文献２に記載される電源装置では、過電圧保護用のリレーのコイルは、１００Ｖ耐圧の寿命が短い電解コンデンサではなく、ダイオードブリッジとＤＣＤＣコンバータ回路との間に配置される平滑用の大容量の電解コンデンサから励磁電流が供給される。特許文献２に記載される電源装置は、ダイオードブリッジとＤＣＤＣコンバータ回路との間に配置される平滑用の電解コンデンサからリレーのコイルに励磁電流を供給するので、励磁電流供給用の１００Ｖ耐圧の電解コンデンサを配置しなくてもよい。特許文献２に記載される電源装置は、寿命が短い高耐圧の電解コンデンサが励磁電流供給用に配置されていないので、高寿命化することができる。
【先行技術文献】
【特許文献】
【０００５】
【特許文献１】特開２００１−１８７１９１号公報
【特許文献２】特許第５５０５１４４号公報
【発明の概要】
【発明が解決しようとする課題】
【０００６】
しかしながら、特許文献２に記載される電源装置では、リレーのコイルに印加される電圧を充電する電解コンデンサは、容量が大きい上に、電源からダイオードブリッジを介して充電されるため、充電時間が長くなる。特許文献２に記載される電源装置は、充電時間が長い電解コンデンサからリレーのコイルに励磁電流を供給するため、起動時にリレーの動作が不安定になり、負荷に電源電圧を安定的に印加されないという課題がある。
【０００７】
そこで、本発明は、誤接続等に起因する高電圧が印加されたときに破壊されることを防止しつつ、起動時に電源電圧を安定的に印加可能な電源装置を提供することを目的とする。
【課題を解決するための手段】
【０００８】
本発明の一つの形態として、電源装置は、リレーと、コンデンサと、スイッチと、過電圧検出回路と、スイッチ制御回路とを有する。リレーは、電源に接続される電源端子と負荷に接続される負荷端子との間に配置され、オフしたときに電源端子と負荷端子との間を開放し、オンしたときに電源端子と負荷端子との間を接続する接点と、励磁電流が供給されないときに接点をオフし、励磁電流が供給されたときに接点をオンするコイルとを有する。コンデンサは電源端子に一端が接続され且つコイルに並列接続され、スイッチはコンデンサに直列接続される。過電圧検出回路は、電源端子に印加される電源電圧が所定のしきい値電圧よりも高いことを検出する。スイッチ制御回路は、過電圧検出回路によって電源電圧がしきい値電圧よりも高いことが検出されないときにスイッチをオンして、コンデンサに電源電圧を印加してリレーのコイルに励磁電流を供給して接点をオンし、過電圧検出回路によって電源電圧がしきい値電圧よりも高いことが検出されたときにオフして、コンデンサへの電源電圧の印加を停止してコンデンサへの電源電圧の印加を停止してリレーのコイルへの励磁電流の供給を停止して接点をオフする。
【０００９】
この電源装置では、スイッチは、前記コンデンサと共に前記コイルに直列接続され、コイルは、スイッチがオンするときにコンデンサと共に電源電圧が印加され、スイッチがオフするときにコンデンサと共に電源電圧の印加が停止されることが好ましい。
【００１０】
本発明の一つの形態として、遊技機は、負荷回路と、負荷回路に電力を供給する電源装置を有する。電源装置は、リレーと、コンデンサと、スイッチと、過電圧検出回路と、スイッチ制御回路とを有する。リレーは、電源に接続される電源端子と負荷に接続される負荷端子との間に配置され、オフしたときに電源端子と負荷端子との間を開放し、オンしたときに電源端子と負荷端子との間を接続する接点と、励磁電流が供給されないときに接点をオフし、励磁電流が供給されたときに接点をオンするコイルとを有する。コンデンサは電源端子に一端が接続され且つコイルに並列接続され、スイッチはコンデンサに直列接続される。過電圧検出回路は、電源端子に印加される電源電圧が所定のしきい値電圧よりも高いことを検出する。スイッチ制御回路は、過電圧検出回路によって電源電圧がしきい値電圧よりも高いことが検出されないときにスイッチをオンして、コンデンサに電源電圧を印加してリレーのコイルに励磁電流を供給して接点をオンし、過電圧検出回路によって電源電圧がしきい値電圧よりも高いことが検出されたときにオフして、コンデンサへの電源電圧の印加を停止してコンデンサへの電源電圧の印加を停止してリレーのコイルへの励磁電流の供給を停止して接点をオフする。
【発明の効果】
【００１１】
本発明に係る電源装置は、誤接続等に起因する高電圧が印加されたときに破壊されることを防止しつつ、起動時に電源電圧を安定的に印加できる。
【図面の簡単な説明】
【００１２】
【図１】第１実施形態に係る電源装置の回路ブロック図である。
【図２】第１実施形態に係る電源装置のより詳細な回路ブロック図である。
【図３】第１実施形態に係る電源装置の動作を説明するためのタイミングチャートである。
【図４】第２実施形態に係る電源装置の回路ブロック図である。
【図５】第３実施形態に係る電源装置の回路ブロック図である。
【図６】第３実施形態に係る電源装置の適用例を示すより詳細な回路ブロック図である。
【図７】遊技施設における弾球遊技機の配置図である。
【図８】実施形態又は変形例に係る電源装置を備えた弾球遊技機の概略斜視図である。
【図９】図８に示す弾球遊技機の概略背面図である。
【発明を実施するための形態】
【００１３】
以下、本発明の一つの実施形態に係る電源装置及びその電源装置を搭載した遊技機を、図を参照しつつ説明する。上記のように、実施形態に係る電源装置は、リレーのコイルに並列接続されてリレーのコイルに電源電圧を印加するコンデンサと、コンデンサに直列接続されたスイッチとを有する。スイッチは、電源電圧が電源装置の定格電圧よりも高いしきい値電圧以下であるときにオンして、コンデンサに電源電圧を印加する。一方、スイッチは、電源電圧がしきい値電圧よりも高いときにオフして、コンデンサへの電源電圧の印加を停止して高電圧が電源装置に印加されることを防止する。この電源装置では、電源電圧がしきい値電圧よりも高いときに、リレーのコイルに励磁電流を供給するコンデンサに電源電圧が印加されないので、コイルに励磁電流を供給するコンデンサは、高電圧が印加されるおそれがない。そのため、この電源装置では、励磁電流供給用コンデンサは、高耐圧の電解コンデンサを使用しなくてもよい。また、この電源装置では、励磁電流供給用コンデンサは、平滑用コンデンサと併用されないので、小容量の電解コンデンサをリレーのコイルに並列接続して使用することで起動時に早急に充電され、起動時に電源電圧を安定的に印加できる。
【００１４】
図１は、第１実施形態に係る電源装置の回路ブロック図である。
【００１５】
電源装置１は、リレー１０と、第１整流回路１１と、ＤＣＤＣコンバータ回路１２と、コンデンサ１３と、スイッチ１４と、第２整流回路１５と、過電圧検出回路１６と、スイッチ制御回路１７と、電源端子１８と、負荷端子１９とを有する。電源装置１は、電源１００からヒューズ１０１及び電源スイッチ１０２を介して電源端子１８に２４Ｖ交流電圧が印加されるとき、２４Ｖ交流電圧を所望の電圧にＤＣ−ＤＣ変換して負荷端子１９から負荷１０５に印加する。電源装置１は、電源１００から１００Ｖ交流電圧等のしきい値電圧よりも高い電圧が印加されたときに、リレー１０を開放状態にして負荷１０５への電源電圧の印加を停止する。
【００１６】
リレー１０は、一対の接点２０ａ及び２０ｂと、一対のコイル２１ａ及び２１ｂとを有し、電源１００に接続される電源端子１８と負荷１０５に接続される負荷端子１９との間に配置される。リレー１０の一対の接点２０ａ及び２０ｂは、オフしたときに電源端子１８と負荷端子１９との間を開放し、オンしたときに電源端子１８と負荷端子１９との間を接続する。リレー１０の一対のコイル２１ａ及び２１ｂは、励磁電流が供給されないときにリレー１０の一対の接点２０ａ及び２０ｂのそれぞれをオフし、励磁電流が供給されたときにリレー１０の一対の接点２０ａ及び２０ｂのそれぞれをオンする。
【００１７】
第１整流回路１１は、不図示のブリッジダイオード回路を含み、電源１００から入力される２４Ｖ交流電圧を全波整流した整流電圧をＤＣＤＣコンバータ回路１２に出力する。ＤＣＤＣコンバータ回路１２は、昇圧回路、降圧回路又は昇降圧回路の何れかを含み、第１整流回路１１から入力される整流電圧を平滑化すると共に電圧を所望の電圧に昇圧又は降圧して負荷１０５に出力する。昇圧回路、降圧回路及び昇降圧回路の回路構成は、よく知られているので、ここでは詳細な説明は省略する。
【００１８】
コンデンサ１３は、例えば、電源装置１の定格電圧である２４Ｖ交流電圧が印加可能な電解コンデンサであり、電源端子１８に一端が接続され、他端がスイッチ１４を介して接地される。コンデンサ１３は、また、電源装置１の定格電圧である２４Ｖ交流電圧が印加されても破壊されるおそれはないが、誤接続等に起因して１００Ｖ交流電圧が印加された場合、破壊されるおそれがある。コンデンサ１３は、リレー１０の一対の接点２０ａ及び２０ｂに並列接続される。コンデンサ１３は、スイッチ１４がオンするときに、電源１００から印加される２４Ｖ交流電圧により充電され、リレー１０の一対の接点２０ａ及び２０ｂのそれぞれに励磁電流を供給する。また、コンデンサ１３は、スイッチ１４がオフするときに、電源１００から印加される電圧により充電される電流経路が遮断されると共に、スイッチ制御回路１７を介して放電される。コンデンサ１３は、スイッチ１４がオフするときにスイッチ制御回路１７を介して放電されるので、リレー１０の一対の接点２０ａ及び２０ｂへの励磁電流の供給を停止する。
【００１９】
スイッチ１４は、例えば、ｎＭＯＳＦＥＴであり、リレー１０の一対の接点２０ａ及び２０ｂ及びコンデンサ１３に直列接続される。スイッチ１４のゲートはスイッチ制御回路１７に接続され、スイッチ１４のソースは接地され、スイッチ１４のドレインはリレー１０の一対の接点２０ａ及び２０ｂ及びコンデンサ１３に接続される。
【００２０】
第２整流回路１５は、不図示のブリッジダイオード回路を含み、電源１００から入力される２４Ｖ交流電圧を全波整流した整流電圧を過電圧検出回路１６に出力する。過電圧検出回路１６は、電源端子１８に印加される電源電圧が所定のしきい値電圧よりも高いことを検出したとき、過電圧検出信号をスイッチ制御回路１７に出力する。一方、過電圧検出回路１６は、電源端子１８に印加される電源電圧がしきい値電圧よりも高いことを検出しないとき、過電圧検出信号をスイッチ制御回路１７に出力しない。しきい値電圧は、２４Ｖよりも高く且つ１００Ｖよりも低い電圧である。
【００２１】
スイッチ制御回路１７は、過電圧検出回路１６によって電源電圧がしきい値電圧よりも高いことが検出されずに過電圧検出信号が入力されないときに、スイッチ１４をオンする。スイッチ１４がオンするとき、コンデンサ１３は、電源１００から印加される２４Ｖ交流電圧で充電され、リレー１０の一対の接点２０ａ及び２０ｂのそれぞれに励磁電流を供給する。
【００２２】
スイッチ制御回路１７は、過電圧検出回路１６によって電源電圧がしきい値電圧よりも高いことが検出されて過電圧検出信号が入力されるときに、スイッチ１４をオフする。スイッチ１４がオフするとき、コンデンサ１３は、放電され、リレー１０の一対の接点２０ａ及び２０ｂへの励磁電流の供給を停止する。
【００２３】
図２は、電源装置１のより詳細な回路ブロック図である。電源装置１は、入力される交流電圧である電源圧Ｖｉｎを所望の電圧値を有する直流電圧に変換して負荷電圧Ｖｏｕｔとして出力する。
【００２４】
過電圧検出回路１６は、過電圧検出素子３１と、第１過電圧抵抗素子３２と、第２過電圧抵抗素子３３と、第３過電圧抵抗素子３４と、過電圧コンデンサ３５とを有する。過電圧検出素子３１は、例えば、ツェナーダイオードである。
【００２５】
スイッチ制御回路１７は、制御ダイオード４０と、第１制御抵抗素子４１〜第４制御抵抗素子４４と、制御スイッチ４５と、スイッチ保護素子４６と、制御コンデンサ４７とを有する。制御スイッチ４５は例えばｎｐｎトランジスタであり、スイッチ保護素子４６は例えばツェナーダイオードである。
【００２６】
過電圧検出素子３１のカソードは第２整流回路１５の出力端子に接続され、過電圧検出素子３１のアノードは第１過電圧抵抗素子３２の一端に接続される。
【００２７】
第１過電圧抵抗素子３２の他端は第２過電圧抵抗素子３３及び過電圧コンデンサ３５の一端に接続され、第２過電圧抵抗素子３３の他端は第３過電圧抵抗素子３４の一端及び制御スイッチ４５のベースに接続される。第３過電圧抵抗素子３４及び過電圧コンデンサ３５の他端は接地される。
【００２８】
制御ダイオード４０のアノードは電源端子１８に接続され、制御ダイオード４０のカソードは第１制御抵抗素子４１、コンデンサ１３並びにリレー１０の一対のコイル２１ａ及び２１ｂの一端に接続される。第１制御抵抗素子４１の他端は第２制御抵抗素子４２、第３制御抵抗素子４３及び制御コンデンサ４７の一端、並びにスイッチ保護素子４６のカソードに接続される。第２制御抵抗素子４２の他端は制御スイッチ４５のコレクタに接続され、第３制御抵抗素子４３の他端は第４制御抵抗素子４４の一端及びスイッチ１４のゲートに接続される。第４制御抵抗素子４４の他端、制御スイッチ４５のエミッタ、スイッチ保護素子４６のアノード、及び制御コンデンサ４７の他端は、接地される。
【００２９】
電源電圧Ｖｉｎがしきい値電圧以下のとき、過電圧検出素子３１はオフして、電流を遮断する。しきい値電圧は、過電圧検出素子３１の降伏電圧により規定される。例えば、過電圧検出素子３１の降伏電圧が３４Ｖであるとき、しきい値電圧は、過電圧検出素子３１の降伏電圧と同一の３４Ｖである。電源電圧Ｖｉｎがしきい値電圧以下のとき、過電圧検出素子３１が電流を遮断するので、制御スイッチ４５にベース電流が流れずに制御スイッチ４５はオフする。電源電圧Ｖｉｎがしきい値電圧以下のとき、制御スイッチ４５はオフするので、スイッチ１４のゲートに電源１００から印加される電源電圧Ｖｉｎの最大振幅に相当電圧が印加されて、スイッチ１４はオンする。
【００３０】
電源電圧Ｖｉｎがしきい値電圧よりも高くなったとき、過電圧検出素子３１はオンして、第２整流回路１５の出力端子から接地に向けて電流が流れる。電源電圧Ｖｉｎがしきい値電圧よりも高くなったとき、第２整流回路１５の出力端子から接地に向けて電流が流れることで、制御スイッチ４５にベース電流が流れて、制御スイッチ４５はオンする。電源電圧Ｖｉｎがしきい値電圧よりも高くなったとき、制御スイッチ４５はオンするので、スイッチ１４のゲート電圧は、スイッチ１４のソース電圧と略等しくなり、スイッチ１４はオフする。
【００３１】
図３は、電源装置１の動作を説明するためのタイミングチャートである。図３において、波形３０１は電源１００から入力される電源電圧Ｖｉｎを示し、波形３０２はスイッチ１４のゲート電圧Ｖｇを示し、波形３０３はコンデンサ１３の電源側電圧Ｖｃを示す。波形３０４は制御スイッチ４５のベース電圧Ｖｂを示し、波形３０５は第１整流回路１１の入力電圧Ｖｒを示す。
【００３２】
電源１００から２４Ｖ交流電圧が入力される通常時には、過電圧検出素子３１はオフするので、ベース電圧が流れずに制御スイッチ４５はオフする。制御スイッチ４５がオフするので、制御コンデンサ４７の充電に応じて、スイッチ１４のゲート電圧Ｖｇが上昇して、スイッチ１４がオンする。スイッチ１４がオンすることに応じて、コンデンサ１３が充電されて、リレー１０の一対のコイル２１ａ及び２１ｂに励磁電流が流れてリレー１０がオンすることで、第１整流回路１１への入力電圧Ｖｒの印加が開始される。
【００３３】
電源１００から１００Ｖ交流電圧が入力される過電圧入力時には、過電圧検出素子３１がオンして、ベース電圧が流れて制御スイッチ４５はオンする。制御スイッチ４５がオンするので、制御コンデンサ４７は充電されず、スイッチ１４のゲート電圧Ｖｇは上昇せず、スイッチ１４はオフ状態を持続する。スイッチ１４がオフ状態を持続するので、コンデンサ１３は充電されず、リレー１０の一対のコイル２１ａ及び２１ｂに励磁電流が流れずにリレー１０がオフ状態を維持するので、第１整流回路１１は入力電圧Ｖｒが印加されない。
【００３４】
２４Ｖ交流電圧が入力される通常時から１００Ｖ交流電圧が入力される過電圧入力時に変化すると、過電圧検出素子３１のそれぞれがオンして、ベース電圧が流れて制御スイッチ４５はオンする。制御スイッチ４５がオンするので、制御コンデンサ４７は放電されて、スイッチ１４のゲート電圧Ｖｇは下降して、スイッチ１４はオフする。スイッチ１４がオフするので、コンデンサ１３は充電されず、リレー１０の一対のコイル２１ａ及び２１ｂへの励磁電流の供給が停止されて、リレー１０がオフして、第１整流回路１１への入力電圧Ｖｒの印加が停止される。
【００３５】
第１実施形態に係る電源装置では、高圧印加防止用のリレーのコイルに励磁電流を供給するコンデンサは、過電圧印加時に充電されず、定格電圧以上の高電圧が印加されるおそれがないので、高耐圧の電解コンデンサを使用しなくてもよい。第１実施形態に係る電源装置は、励磁電流供給用コンデンサとして、リレーのコイルへの励磁電流の供給に適した容量のコンデンサを採用できるので、励磁電流供給用コンデンサが電源装置の寿命を決定する要因になるおそれは低い。
【００３６】
また、第１実施形態に係る電源装置では、励磁電流供給用コンデンサは、平滑用コンデンサと併用されないので、小容量の電解コンデンサをリレーのコイルに並列接続して使用することで起動時に早急に充電され、起動時に電源電圧が安定的に印加できる。
【００３７】
また、第１実施形態に係る電源装置では、スイッチは、コンデンサと共にリレーのコイルに直列接続されるので、過電圧印加時にリレーがオフして、整流回路及びＤＣＤＣコンバータ回路に過電圧が印加されることを防止することができる。第１実施形態に係る電源装置では、整流回路及びＤＣＤＣコンバータ回路に過電圧が印加されることを防止することができるので、過電圧が印加されることで、整流回路及びＤＣＤＣコンバータ回路の構成素子が破壊されることを防止できる。
【００３８】
また、第１実施形態に係る電源装置では、スイッチはｎＭＯＳＦＥＴであり、制御スイッチはｎｐｎトランジスタであるので、コンデンサの充放電回路を簡易な構成で実現することができる。
【００３９】
また、第１実施形態に係る電源装置では、コンデンサの一端は、スイッチのゲートに接続された制御スイッチに接続されるので、コンデンサは、電源電圧が前記しきい値電圧よりも高いことが検出されたとき、前記制御スイッチを介して早急に放電できる。
【００４０】
図４は、第２実施形態に係る電源装置の回路ブロック図である。
【００４１】
電源装置２は、コンデンサ１３とスイッチ１４との接続関係が電源装置１と相違する。コンデンサ１３とスイッチ１４との間の接続関係以外の電源装置２の構成要素の構成及び機能は、同一符号が付された電源装置１の構成要素の構成及び機能と同一なので、ここでは詳細な説明は省略する。
【００４２】
スイッチ１４の一端は電源端子１８に接続され、スイッチ１４の他端はコンデンサ１３の一端及びリレー１０の一対のコイル２１ａ及び２１ｂに接続される。コンデンサ１３の他端は接地される。
【００４３】
図５は、第３実施形態に係る電源装置の回路ブロック図である。
【００４４】
電源装置３は、過電圧警報端子５１を有することが電源装置１と相違する。過電圧警報端子５１以外の電源装置３の構成要素の構成及び機能は、同一符号が付された電源装置１の構成要素の構成及び機能と同一なので、ここでは詳細な説明は省略する。
【００４５】
図６は、電源装置３の適用例を示すより詳細な回路ブロック図である。
【００４６】
過電圧警報端子５１は、第１過電圧抵抗素子３２の他端、第２過電圧抵抗素子３３及び過電圧コンデンサ３５の一端に接続されると共に、ＬＥＤ５２のアノードに接続される。ＬＥＤ５２のカソードは接地される。
【００４７】
電源電圧Ｖｉｎがしきい値電圧よりも高くなったとき、過電圧検出素子３１はオンして、過電圧警報端子５１を介してＬＥＤ５２に電流が流れてＬＥＤ５２が発光する。電源電圧Ｖｉｎがしきい値電圧よりも高くなったときにＬＥＤ５２が発光することで、電源装置３に電源電圧を印加する作業をしたオペレータは、電源装置３に２４Ｖ交流電圧ではなく１００Ｖ交流電圧が印加されたことを知覚することができる。
【００４８】
上記の実施形態又は変形例に係る電源装置は、弾球遊技機又は回胴遊技機といった遊技機に搭載されてもよい。
【００４９】
図７は遊技施設における弾球遊技機６の配置図であり、図８は上記の実施形態又は変形例に係る電源装置を備えた弾球遊技機６の概略斜視図第１図９は弾球遊技機６の概略背面図である。図７に示すように、弾球遊技機６は、弾球遊技機６に球を供給する球供給装置７を挟んで複数配置される。また、図８に示すように、弾球遊技機６は、上部から中央部の大部分の領域に設けられ、遊技機本体である遊技盤６１と、遊技盤６１の下方に配設される球受け部６２と、ハンドルを備えた操作部６３と、遊技盤６１の略中央に設けられた表示装置６４とを有する。球受け部６２は、隣接する球供給装置７から球が供給される。
【００５０】
また弾球遊技機６は、遊技の演出のために、遊技盤６１の前面において遊技盤６１の下方に配置された固定役物部６５を有する。また遊技盤６１の側方にはレール６７が配設されている。また遊技盤６１上には不図示の多数の障害釘及び少なくとも一つの入賞装置６８が設けられている。
【００５１】
操作部６３は、遊技者の操作によるハンドルの回動量に応じて図示しない発射装置より所定の力で遊技球を発射する。発射された遊技球は、レール６７に沿って上方へ移動し、多数の障害釘の間を落下する。そして遊技球が何れかの入賞装置６８に入ったことを、図示しないセンサにより検知すると、遊技盤６１の背面に設けられた主制御回路７０は、遊技球が入った入賞装置６８に応じた所定個の遊技球を不図示の玉払い出し装置を介して球受け部６２へ払い出す。更に主制御回路７０は、遊技盤６１の背面に設けられた演出用制御回路７１を介して表示装置６４に様々な映像を表示させる。
【００５２】
上記の実施形態又はその変形例に係る電源装置７３は、主制御回路７０、演出用制御回路７１、表示装置６４、発射装置及び玉払い出し装置など、供給された電力を利用して動作する遊技機の各負荷回路へ電力を供給する。
【００５３】
このように、当業者は、本発明の範囲内で、実施される形態に合わせて様々な変更を行うことができる。例えば、説明された電源装置では、リレー１０は、一対の接点２０ａ及び２０ｂと、一対のコイル２１ａ及び２１ｂとを有するが、実施形態に係る電源装置では、リレーは、単一の接点と励磁電流が流れたときに単一の接点をオンする単一のコイルを輸してもよい。
【符号の説明】
【００５４】
１〜３、７３    電源装置
６    弾球遊技機（遊技機）
１０    リレー
１３    コンデンサ
１４    スイッチ
１６    過電圧検出回路
１７    スイッチ制御回路
２０ａ、２０ｂ    接点
２１ａ、２１ｂ    コイル
【図１】
2018133923.tif 000003
【図２】
2018133923.tif 000004
【図３】
2018133923.tif 000005
【図４】
2018133923.tif 000006
【図５】
2018133923.tif 000007
【図６】
2018133923.tif 000008
【図７】
2018133923.tif 000009
【図８】
2018133923.tif 000010
【図９】
2018133923.tif 000011